(57)【要約】【課題】コピー機等に放置された原稿が第三者に見られたり、持ち去られたりするのを防ぎ、情報漏洩の危険性を下げる。【解決手段】画像形成装置１は、原稿が画像読取装置１に放置されているか否かを判断する原稿放置判断部１０３と、ユーザーが携帯する携帯装置７１との間で無線通信を行うネットワークインターフェイス部９１と、画像読取装置１への接近者の有無を判定する接近者判定部１０４と、原稿放置判断部１０３により原稿が画像読取装置１に放置されていると判断された状態で、距離判断部１０２により画像形成装置１と携帯装置７１との距離が予め定められた第１閾値に達していると判断され、かつ、接近者判定部１０４により接近者が存在すると判定された場合に、ネットワークインターフェイス部９１を介して、他人による情報漏洩の危険性を示す警告情報を携帯装置７１へ送信する制御部１００と、を備える。【選択図】図１
2020120353.tif 000002
【特許請求の範囲】
【請求項１】
自動原稿送り装置によって搬送されてくる原稿、又は原稿載置面に載置されている原稿を読み取る原稿読取部と、
ユーザーが携帯する携帯装置との間で無線通信を行う通信部と、
前記携帯装置と本画像読取装置との距離が、予め定められた第１閾値に達しているか否かと、前記第１閾値よりも小さい予め定められた第２閾値に達しているか否かとを判断する距離判断部と、
前記距離判断部により前記距離が前記第２閾値に達していると判断されていることを条件の１つとして、前記原稿読取部により読み取られた原稿が本画像読取装置に放置されているか否かを判断する原稿放置判断部と、
前記原稿放置判断部により前記原稿が本画像読取装置に放置されていると判断された状態で、前記距離判断部により前記距離が前記第１閾値に達していると判断された場合に、前記通信部を介して、前記原稿を取り忘れている旨を示す予め定められた第１警告情報を前記携帯装置へ送信する制御部と、
本画像読取装置への接近者の有無を判定する接近者判定部と、を備え、
前記制御部は、
前記原稿放置判断部により前記原稿が本画像読取装置に放置されていると一旦判断された状態で、前記接近者判定部により前記接近者が存在すると判定された場合に、前記通信部を介して、他人による情報漏洩の危険性を示す予め定められた第２警告情報を前記携帯装置へ送信し、
前記原稿放置判断部により前記原稿が本画像読取装置に放置されていると一旦判断された状態で、本画像読取装置への前記接近者が存在する場合であっても、前記距離判断部により前記距離が前記第１閾値に達していると判断されたときには、前記第２警告情報を前記携帯装置へ送信しない画像読取装置。
【請求項２】
前記距離判断部は、前記通信部を介して、前記携帯装置から送信されてくる当該携帯装置の位置情報と予め登録されている本画像読取装置の位置情報とに基づいて、前記距離を算出する請求項１に記載の画像読取装置。
【請求項３】
前記原稿載置面に載置されている原稿を押さえる、開閉可能な原稿押さえ部材と、
前記原稿押さえ部材の開閉を検知する開閉検知部と、を更に備え、
前記原稿放置判断部は、前記原稿読取部が前記原稿載置面に載置されている原稿の読み取りを行った後に、前記開閉検知部により前記原稿押さえ部材の開放が検知されないまま、前記距離判断部により前記距離が前記第２閾値に達していると判断された場合、前記原稿が本画像読取装置に放置されていると判断する請求項１又は請求項２に記載の画像読取装置。
【請求項４】
前記接近者判定部は、前記開閉検知部により前記原稿押さえ部材の開放が検知されていないと検知されている状態から前記原稿押さえ部材の開放が検知された場合に、前記接近者が存在すると判定する請求項３に記載の画像読取装置。
【請求項５】
前記自動原稿送り装置によって搬送され、前記原稿読取部により読み取られた後の原稿を積載する原稿排出トレイと、
前記原稿排出トレイに原稿が存在するか否かを検知する原稿検知部と、を更に備え、
前記原稿放置判断部は、前記原稿読取部が前記自動原稿送り装置によって搬送されてくる原稿の読み取りを行った後に、前記原稿検知部により前記原稿排出トレイに原稿が存在すると検知された状態で、前記距離判断部により前記距離が前記第２閾値に達していると判断された場合、前記原稿が本画像読取装置に放置されていると判断する請求項１又は請求項２に記載の画像読取装置。
【請求項６】
前記原稿載置面に載置された原稿を押さえる、開閉可能な原稿押さえ部材と、
前記原稿押さえ部材の開閉を検知する開閉検知部と、を更に備え、
前記接近者判定部は、前記開閉検知部により前記原稿押さえ部材の開放が検知されていないと検知されている状態から前記原稿押さえ部材の開放が検知された場合に、前記接近者が存在すると判定する請求項５に記載の画像読取装置。
【請求項７】
本画像読取装置への人の接近を検知する人体検知部を更に備え、
前記接近者判定部は、前記人体検知部により本画像読取装置への人の接近が検知された場合に、前記接近者が存在すると判定する請求項１、請求項２、請求項３又は請求項５のいずれかに記載の画像読取装置。
【請求項８】
ユーザーからの操作入力を受け付ける操作受付部を更に備え、
前記接近者判定部は、前記操作受付部がユーザー操作を受け付けた場合に、前記接近者が存在すると判定する請求項１、請求項２、請求項３又は請求項５のいずれかに記載の画像読取装置。
【請求項９】
請求項１乃至請求項８のいずれかに記載の画像読取装置と、
前記原稿読取部による読み取りで得られた原稿の画像データに基づいて、記録紙に画像を形成する画像形成部と、を備える画像形成装置。
【請求項１０】
記録紙に画像を形成する画像形成部と、
ユーザーが携帯する携帯装置との間で無線通信を行う通信部と、
前記携帯装置と本画像読取装置との距離が、予め定められた第１閾値に達しているか否かと、前記第１閾値よりも小さい予め定められた第２閾値に達しているか否かとを判断する距離判断部と、
前記距離判断部により前記距離が前記第２閾値に達していると判断されていることを条件の１つとして、前記画像形成部が前記記録紙に画像を形成することによって得られた印刷物が本画像読取装置に放置されているか否かを判断する原稿放置判断部と、
前記原稿放置判断部により前記印刷物が本画像読取装置に放置されていると判断された状態で、前記距離判断部により前記距離が前記第１閾値に達していると判断された場合に、前記通信部を介して、前記印刷物を取り忘れている旨を示す予め定められた第３警告情報を前記携帯装置へ送信する制御部と、
本画像読取装置への接近者の有無を判定する接近者判定部と、を備え、
前記制御部は、
前記原稿放置判断部により前記印刷物が本画像読取装置に放置されていると一旦判断された状態で、前記接近者判定部により前記接近者が存在すると判定された場合に、前記通信部を介して、他人による情報漏洩の危険性を示す予め定められた第４警告情報を前記携帯装置へ送信し、
前記原稿放置判断部により前記印刷物が本画像読取装置に放置されていると一旦判断された状態で、本画像読取装置への前記接近者が存在する場合であっても、前記距離判断部により前記距離が前記第１閾値に達していると判断されたときには、前記第４警告情報を前記携帯装置へ送信しない画像形成装置。
【発明の詳細な説明】
【技術分野】
【０００１】
本発明は、原稿や印刷物からの情報の漏えいを防止する技術に関する。
【背景技術】
【０００２】
下記の特許文献１に、プリンターでの印刷が完了するまでに、ユーザーが携帯する携帯装置とプリンターとの距離が予め定められた閾値以上になると、印刷物を取り忘れている旨を当該携帯装置に出力することが記載されている。例えば、下記の特許文献１には、コンビニエンスストアに設置されているプリンターでの印刷が完了するまでに、ユーザーが当該コンビニエンスストアから退店すると、印刷物を取り忘れている旨を当該携帯装置に出力することが記載されている。
【先行技術文献】
【特許文献】
【０００３】
【特許文献１】特開２０１７−１４６８２７号公報
【発明の概要】
【発明が解決しようとする課題】
【０００４】
コピー中にユーザーがコピー機から離れると、原稿や印刷物をユーザー以外の第三者に見られたり、持ち去られたりする危険性がある。原稿や印刷物には個人情報など、秘密にしておきたい情報が含まれている場合があるので、原稿や印刷物が第三者に見られたり、持ち去られたりするのは情報の漏えいになり、セキュリティ上問題である。
【０００５】
上記の特許文献１に記載されているように、ユーザーがコンビニエンスストアから退店した場合に、原稿や印刷物の取り忘れをユーザーに警告することは、原稿や印刷物の取り忘れの防止に有効ではあるが、コピー機やプリンターからユーザーが離れても、ユーザーがコンビニエンスストア内に留まっている場合には、上記警告は行わず、セキュリティ上問題がある。
【０００６】
本発明は、上記の事情に鑑みなされたものであり、従来よりも更に確実に、コピー機等に放置された原稿や印刷物が第三者に見られたり、持ち去られたりするのを防ぎ、情報漏洩の危険性を下げることを目的とする。
【課題を解決するための手段】
【０００７】
本発明の一局面に係る画像読取装置は、自動原稿送り装置によって搬送されてくる原稿、又は原稿載置面に載置されている原稿を読み取る原稿読取部と、ユーザーが携帯する携帯装置との間で無線通信を行う通信部と、前記携帯装置と本画像読取装置との距離が、予め定められた第１閾値に達しているか否かと、前記第１閾値よりも小さい予め定められた第２閾値に達しているか否かとを判断する距離判断部と、前記距離判断部により前記距離が前記第２閾値に達していると判断されていることを条件の１つとして、前記原稿読取部により読み取られた原稿が本画像読取装置に放置されているか否かを判断する原稿放置判断部と、前記原稿放置判断部により前記原稿が本画像読取装置に放置されていると判断された状態で、前記距離判断部により前記距離が前記第１閾値に達していると判断された場合に、前記通信部を介して、前記原稿を取り忘れている旨を示す予め定められた第１警告情報を前記携帯装置へ送信する制御部と、本画像読取装置への接近者の有無を判定する接近者判定部と、を備え、前記制御部は、前記原稿放置判断部により前記原稿が本画像読取装置に放置されていると一旦判断された状態で、前記接近者判定部により前記接近者が存在すると判定された場合に、前記通信部を介して、他人による情報漏洩の危険性を示す予め定められた第２警告情報を前記携帯装置へ送信し、前記原稿放置判断部により前記原稿が本画像読取装置に放置されていると一旦判断された状態で、本画像読取装置への前記接近者が存在する場合であっても、前記距離判断部により前記距離が前記第１閾値に達していると判断されたときには、前記第２警告情報を前記携帯装置へ送信しない。
【０００８】
また、本発明の一局面に係る画像形成装置は、記録紙に画像を形成する画像形成部と、ユーザーが携帯する携帯装置との間で無線通信を行う通信部と、前記携帯装置と本画像読取装置との距離が、予め定められた第１閾値に達しているか否かと、前記第１閾値よりも小さい予め定められた第２閾値に達しているか否かとを判断する距離判断部と、前記距離判断部により前記距離が前記第２閾値に達していると判断されていることを条件の１つとして、前記画像形成部が前記記録紙に画像を形成することによって得られた印刷物が本画像読取装置に放置されているか否かを判断する原稿放置判断部と、前記原稿放置判断部により前記印刷物が本画像読取装置に放置されていると判断された状態で、前記距離判断部により前記距離が前記第１閾値に達していると判断された場合に、前記通信部を介して、前記印刷物を取り忘れている旨を示す予め定められた第３警告情報を前記携帯装置へ送信する制御部と、本画像読取装置への接近者の有無を判定する接近者判定部と、を備え、前記制御部は、前記原稿放置判断部により前記印刷物が本画像読取装置に放置されていると一旦判断された状態で、前記接近者判定部により前記接近者が存在すると判定された場合に、前記通信部を介して、他人による情報漏洩の危険性を示す予め定められた第４警告情報を前記携帯装置へ送信し、前記原稿放置判断部により前記印刷物が本画像読取装置に放置されていると一旦判断された状態で、本画像読取装置への前記接近者が存在する場合であっても、前記距離判断部により前記距離が前記第１閾値に達していると判断されたときには、前記第４警告情報を前記携帯装置へ送信しない。
【発明の効果】
【０００９】
本発明によれば、原稿又は印刷物が放置されたまま、ユーザーが携帯する携帯装置と本画像読取装置や本画像形成装置との距離が第１閾値に達した場合（例えば、コピー機の設置されたコンビニエンスストアからユーザーが退店した場合）に、原稿又は印刷物を取り忘れている旨を示す警告情報が上記携帯装置へ送信される。これにより、コンビニエンスストアからの退店時等、ユーザーがコピー機等から遠く離れた時に、ユーザーに原稿又は印刷物の取り忘れに気づかせることができる。
【００１０】
また、原稿又は印刷物が放置されている状態で、ユーザー以外の第三者が本画像読取装置や本画像形成装置へ接近した場合（すなわち、情報漏洩の危険性が高くなっている場合）に、情報漏洩の危険性を示す警告情報が上記携帯装置へ送信される。すなわち、ユーザーがコピー機等から遠く離れていなかった（例えば、コンビニエンスストアからユーザーが退店していなかった）としても、他人による情報漏洩の危険性が高くなっている場合には、上記警告情報が上記携帯装置へ送信される。これにより、情報漏洩の危険性を下げることができる。
【図面の簡単な説明】
【００１１】
【図１】本発明の第１実施形態に係る画像読取装置を備えてなる、画像形成装置の主要内部構成を概略的に示した機能ブロック図である。
【図２】第１実施形態に係る画像読取装置を備えてなる、画像形成装置の外観を示した斜視図である。
【図３】（Ａ）（Ｂ）は、画像形成装置と携帯装置を携帯するユーザーとの位置関係を示した図である。
【図４】画像形成装置から携帯装置へ警告情報が送信される処理を示すフローチャートである。
【図５】画像形成装置と携帯装置を携帯するユーザーとの位置関係を示した図である。
【図６】第２実施形態に係る画像形成装置の主要内部構成を概略的に示した機能ブロック図である。
【発明を実施するための形態】
【００１２】
以下、本発明の一実施形態に係る画像読取装置及び画像形成装置について図面を参照して説明する。図１は、本発明の第１実施形態に係る画像読取装置を備えてなる、画像形成装置の主要内部構成を概略的に示した機能ブロック図であり、図２は、第１実施形態に係る画像読取装置を備えてなる、画像形成装置の外観を示した斜視図である。
【００１３】
画像形成装置１は、例えば、コピー機能、プリンター機能、スキャン機能、及びファクシミリ機能のような複数の機能を兼ね備えた複合機である。画像形成装置１は、制御ユニット１０、原稿給送部６、原稿読取部５、画像形成部１２、定着部１３、給紙部１４、開閉スイッチ５１、近距離通信部３１、操作部４７、及びネットワークインターフェイス部９１を備える。
【００１４】
画像形成装置１で原稿読取動作が行われる場合について説明する。原稿給送部６により搬送されてきた原稿、又はコンタクトガラス１６１に載置されている原稿の画像を、原稿読取部５が光学的に読み取り、そして画像データを生成する。原稿読取部５により生成された画像データは、図略の画像メモリー等に保存される。なお、原稿給送部６及びコンタクトガラス１６１はそれぞれ、特許請求の範囲における自動原稿送り装置、原稿載置面の一例である。
【００１５】
また、原稿給送部６は、原稿読取部５の上面にヒンジ等によって開閉可能に構成され、原稿給送部６は、原稿マット６１及び原稿排出トレイ６２を備える。原稿マット６１は、コンタクトガラス１６１上に載置された原稿を読み取る場合に原稿押さえカバーとして機能する。原稿排出トレイ６２は、原稿給送部６によって搬送され、原稿読取部５により読み取られた後の原稿を積載する。なお、原稿排出トレイ６２には、当該原稿排出トレイ６２に原稿が存在するか否かを検知する原稿検知部６３が設けられている。
【００１６】
原稿読取部５には、原稿マット６１の開閉を検知するための開閉スイッチ５１が設けられている。なお、原稿マット６１及び開閉スイッチ５１はそれぞれ、特許請求の範囲における原稿押さえ部材、開閉検知部の一例である。
【００１７】
画像形成装置１で画像形成動作が行われる場合について説明する。原稿読取動作により生成された画像データや、ネットワーク接続された外部装置２０としてのパソコン等から受信した画像データに基づいて、画像形成部１２が、給紙部１４から給紙される記録紙にトナー像を形成する。
【００１８】
定着部１３は、画像形成部１２によりトナー像が形成された記録紙を加熱及び加圧して、トナー像を記録紙に定着させるものであり、定着処理が施された記録紙は排出トレイ１５１に排出される。給紙部１４は、給紙カセットを備える。
【００１９】
近距離通信部３１は、ＮＦＣ（Near Field Communication）、Bluetooth（登録商標）、又は無線ＬＡＮ等の近距離無線通信方式を用いて、ユーザーが携帯する携帯装置７１との間で無線通信を行うものである。
【００２０】
携帯装置７１は、ＮＦＣ通信等の近距離通信用のインターフェイス部及び無線ＬＡＮ通信用のインターフェイス部と表示部７２とを備えると共に、当該携帯装置７１の位置情報を取得することが可能であり、例えば、スマートフォンが挙げられる。
【００２１】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネル機能を有しており、操作者は画面表示されるボタンやキーに触れて画像形成装置１を操作することができる。
【００２２】
ネットワークインターフェイス部９１は、ローカルエリア内、又はインターネット上のパソコンやサーバー等の外部装置２０や携帯装置７１と種々のデータの送受信を行うものである。なお、ネットワークインターフェイス部９１は、特許請求の範囲における通信部の一例である。
【００２３】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、距離判断部１０２と、原稿放置判断部１０３と、接近者判定部１０４とを備えている。
【００２４】
制御ユニット１０は、図示しないＨＤＤ（Hard Disk Drive）に記憶されている制御プログラムに従った上記プロセッサーによる動作により、制御部１００、操作受付部１０１、距離判断部１０２、原稿放置判断部１０３、及び接近者判定部１０４として機能するものである。但し、制御部１００等は、制御ユニット１０による制御プログラムに従った動作によらず、それぞれハードウェア回路により構成することも可能である。以下、特に触れない限り、各実施形態について同様である。
【００２５】
制御部１００は、画像形成装置１の全体的な動作制御を司る。制御部１００は、原稿給送部６、原稿読取部５、画像形成部１２、定着部１３、給紙部１４、開閉スイッチ５１、近距離通信部３１、操作部４７、及びネットワークインターフェイス部９１と接続され、これら各部の駆動制御等を行う。
【００２６】
例えば、制御部１００は、画像形成装置１の近距離通信部３１に近付けられた携帯装置７１からＮＦＣ通信等によって、携帯装置７１に記憶されている個人情報（例えば、ＩＤコード、当該携帯装置７１のＩＰアドレス）を取得する。
【００２７】
操作受付部１０１は、操作部４７を介したユーザーからの操作入力を受け付ける。例えば、操作受付部１０１は、操作部４７が備えるハードキーに対するユーザー操作を受け付け、更には、表示部４７３に表示されている操作画面に対するユーザー操作を、表示部４７３が有するタッチパネル機能により受け付ける。
【００２８】
例えば、操作受付部１０１が、コピー開始のユーザー操作を受け付けると、制御部１００は、携帯装置７１に対して当該携帯装置７１の位置情報を画像形成装置１へ定期的に送信する旨を示す指令を、ネットワークインターフェイス部９１を介して送信する。これにより、画像形成装置１は携帯装置７１の位置を把握することが可能となる。
【００２９】
距離判断部１０２は、ユーザーが携帯する携帯装置７１と画像形成装置１との距離Ｄが予め定められた第１閾値Ｄ１（ユーザーが画像形成装置１から遠く離れているとされる距離。例えば、１０ｍ）に達しているか否かを判断する。なお、距離判断部１０２は、携帯装置７１から送信されてくる当該携帯装置７１の位置情報と、予め登録されている画像形成装置１の位置情報とに基づいて、距離Ｄを算出する。
【００３０】
更に、距離判断部１０２は、距離Ｄが第１閾値Ｄ１よりも小さい予め定められた第２閾値Ｄ２（ユーザーが画像形成装置１の近くにいるとされる距離。例えば、１ｍ）に達しているか否かを判断する。
【００３１】
原稿放置判断部１０３は、原稿読取部５により読み取られた原稿が画像形成装置１に放置されているか否かを判断する。例えば、原稿放置判断部１０３は、原稿読取部５がコンタクトガラス１６１に載置されている原稿の読み取りを行った後に、(i)開閉スイッチ５１により原稿マット６１の開放が検知されないまま、又は(ii)原稿検知部６３により原稿排出トレイ６２に原稿が存在すると検知された状態で、距離判断部１０２により距離Ｄが第２閾値Ｄ２に達していると判断された場合、当該原稿が画像形成装置１（ここでは、コンタクトガラス１６１）に放置されていると判断する。
【００３２】
また、原稿放置判断部１０３は、原稿読取部５が原稿給送部６によって搬送されてくる原稿の読み取りを行った後に、原稿検知部６３により原稿排出トレイ６２に原稿が存在すると検知された状態で、距離判断部１０２により距離Ｄが第２閾値Ｄ２に達していると判断された場合、当該原稿が画像形成装置１（ここでは、原稿排出トレイ６２）に放置されていると判断する。
【００３３】
接近者判定部１０４は、画像形成装置１への接近者の有無を判定する。例えば、接近者判定部１０４は、開閉スイッチ５１により原稿マット６１の開放が検知された場合に、画像形成装置１への接近者が存在すると判定し、又は操作受付部１０１がユーザー操作を受け付けた場合に、接近者が存在すると判定する。また、別の実施形態としては、接近者判定部１０４は、画像形成装置１への人の接近を検知する人体検知部（例えば、人体が発する赤外線を検知する人体感知センサー）を新たに備え、当該人体検知部が画像形成装置１への人の接近を検知した場合に、接近者判定部１０４が、画像形成装置１への接近者が存在すると判定するようにしてもよい。
【００３４】
次に、原稿の取り忘れが生じた場合に、画像形成装置１と携帯装置７１を携帯するユーザーとの位置関係に基づいて行われる、画像形成装置１から携帯装置７１へ警告情報が送信される処理を説明する。図３（Ａ）、（Ｂ）は、画像形成装置１と携帯装置７１を携帯するユーザーとの位置関係を示した図である。図４は画像形成装置１から携帯装置７１へ警告情報が送信される処理を示すフローチャートである。
【００３５】
図３（Ａ）に示すように、制御部１００は、原稿放置判断部１０３により原稿が画像形成装置１に放置されていると判断された状態で（Ｓ１でＹＥＳ）、距離判断部１０２により距離Ｄが第１閾値Ｄ１に達していると判断された場合に（Ｓ２でＹＥＳ）、ネットワークインターフェイス部９１を介して、原稿を取り忘れている旨を示す予め定められた第１警告情報を、近距離通信部３１を用いて事前に取得したＩＰアドレスに該当する携帯装置７１へ送信する（Ｓ３）。例えば、「原稿をコピー機に置き忘れています」というようなメッセージを有する第１警告情報が携帯装置７１へ送信される。なお、制御部１００は、原稿放置判断部１０３により原稿が画像形成装置１に放置されていないと判断されている状態のときは（Ｓ１でＮＯ）、Ｓ２以降の処理を行わない。
【００３６】
携帯装置７１は、画像形成装置１から送信されてきた警告情報が示すメッセージを表示部７２に表示する機能を有するアプリケーションを備えている。従って、図３（Ａ）に示すように、原稿が画像形成装置１に放置されたまま、携帯装置７１を携帯するユーザーＵ１が画像形成装置１から距離Ｄ（第１閾値Ｄ１）より遠く離れると、上記したようなメッセージが携帯装置７１の表示部７２に表示される。
【００３７】
図３（Ｂ）に示すように、制御部１００は、原稿放置判断部１０３により原稿が画像形成装置１に放置されていると判断された状態で（Ｓ１でＹＥＳ）、距離判断部１０２により距離Ｄが第１閾値Ｄ１に達していないと判断され（Ｓ２でＮＯ）、しかも、接近者判定部１０４により接近者が存在すると判定された場合には（Ｓ４でＹＥＳ）、ユーザー以外の第三者が画像形成装置１へ接近したことになるので、ネットワークインターフェイス部９１を介して、他人による情報漏洩の危険性を示す予め定められた第２警告情報を、上記ＩＰアドレスに該当する携帯装置７１へ送信する（Ｓ５）。例えば、「コピーやスキャンした原稿をコピー機に置き忘れている可能性があり、別の人が置き忘れた原稿を見たり、持ち去ったりする危険性があります」というようなメッセージを有する第２警告情報が携帯装置７１へ送信される。なお、Ｓ４において、制御部１００は、接近者判定部１０４により接近者が存在していないと判定された場合には（Ｓ４でＮＯ）、第２警告情報を携帯装置７１に送信しない。
【００３８】
従って、図３（Ｂ）に示すように、原稿が画像形成装置１に放置されたまま、ユーザーＵ１以外の第三者Ｕ２が画像形成装置１へ接近した場合には、携帯装置７１を携帯するユーザーＵ１が画像形成装置１から距離Ｄ（第１閾値Ｄ１）より遠く離れていなくても、上記したようなメッセージが携帯装置７１の表示部７２に表示される。
【００３９】
上記第１実施形態によれば、原稿が放置されたまま、ユーザーが携帯する携帯装置７１と画像形成装置１との距離Ｄが第１閾値Ｄ１に達した場合（例えば、コピー機の設置されたコンビニエンスストアからユーザーが退店した場合）に、原稿を取り忘れている旨を示す第１警告情報が携帯装置７１へ送信される。これにより、コンビニエンスストアからの退店時等、ユーザーがコピー機等から遠く離れた時に、ユーザーに原稿の取り忘れに気付かせることができる。
【００４０】
また、原稿が放置されている状態で、ユーザー以外の第三者が画像形成装置１へ接近した場合（すなわち、他人による情報漏洩の危険性が高くなっている場合）に、情報漏洩の危険性を示す第２警告情報が携帯装置７１へ送信される。すなわち、ユーザーがコピー機等から遠く離れていなかった（例えば、コンビニエンスストアからユーザーが退店していなかった）としても、他人による情報漏洩の危険性が高くなっている場合には、第２警告情報が携帯装置７１へ送信される。これにより、他人による情報漏洩の危険性を下げることができる。
【００４１】
また、上記第１実施形態では、携帯装置７１を携帯するユーザーＵ１が画像形成装置１から距離Ｄ（第１閾値Ｄ１）より遠く離れた場合には（図５参照）、その時点で、画像形成装置１への接近者の存在に関係なく、制御部１００は、第１警告情報を携帯装置７１へ送信する。つまり、携帯装置７１を携帯するユーザーＵ１が画像形成装置１から距離Ｄ（第１閾値Ｄ１）より遠く離れている場合には、携帯装置７１へ第１警告情報が既に送信されており、また、ユーザー以外の第三者が画像形成装置１へ接近したことを通知しても対処が困難であると想定されるため、携帯装置７１へ第２警告情報を新たに送信する効果は小さいと考えられる。
【００４２】
このため、原稿放置判断部１０３により原稿が画像形成装置１に放置されていると判断された状態で、距離判断部１０２により距離Ｄが第１閾値Ｄ１に達していると判断された場合には、接近者判定部１０４により接近者が存在すると判定されたとしても、第２警告情報を携帯装置７１へ送信しないようにしている。
【００４３】
また、ここまで原稿についての情報漏洩を防ぐ場合を例に挙げて説明しているが、第２実施形態として、図６に示すように、原稿放置判断部１０３の代わりに、画像形成部１２が記録紙に画像を形成することによって得られた印刷物が画像形成装置１に放置されているか否かを判断する印刷物放置判断部１０５を制御ユニット１０に備えることで、印刷物からの情報漏洩を防ぐようにしてもよい。
【００４４】
例えば、排出トレイ１５１に印刷物検知センサーを設け、印刷物放置判断部１０５は、画像形成部１２による記録紙への画像形成が開始された後に、印刷物検知センサーにより排出トレイ１５１に印刷物が存在すると検知された状態で、距離判断部１０２により距離Ｄが第２閾値Ｄ２に達していると判断された場合、当該印刷物が画像形成装置１（ここでは、排出トレイ１５１）に放置されていると判断する。
【００４５】
制御部１００は、印刷物放置判断部１０５により印刷物が画像形成装置１に放置されていると判断された状態で、距離判断部１０２により距離Ｄが第１閾値Ｄ１に達していると判断された場合に、ネットワークインターフェイス部９１を介して、印刷物を取り忘れている旨を示す予め定められた第３警告情報（第１警告情報に相当）を携帯装置７１へ送信する。
【００４６】
更に、制御部１００は、印刷物放置判断部１０５により印刷物が画像形成装置１に放置されていると判断された状態で、接近者判定部１０４により接近者が存在すると判定された場合に、ユーザー以外の第三者が画像形成装置１へ接近したことになるので、ネットワークインターフェイス部９１を介して、他人による情報漏洩の危険性を示す予め定められた第４警告情報（第２警告情報に相当）を携帯装置７１へ送信する。
【００４７】
従って、上記第１及び第２実施形態によれば、従来よりも更に確実に、画像形成装置１に放置された原稿又は印刷物が第三者に見られたり、持ち去られたりするのを防ぎ、他人による情報漏洩の危険性を下げることができる。
【００４８】
本発明は上記実施の形態の構成に限られず種々の変形が可能である。また、上記実施形態では、本発明に係る画像読取装置及び画像形成装置の一実施形態として複合機を用いて説明しているが、これは一例に過ぎず、コピー機能やプリンター機能、スキャン機能を有した他の画像読取装置や画像形成装置でもよい。
【００４９】
また、上記実施形態では、図１乃至図６を用いて上記実施形態により示した構成及び処理は、本発明の一実施形態に過ぎず、本発明を当該構成及び処理に限定する趣旨ではない。
【符号の説明】
【００５０】
１        画像形成装置
５        原稿読取部
６        原稿給送部
１２      画像形成部
５１      開閉スイッチ
６１      原稿マット
６２      原稿排出トレイ
６３      原稿検知部
７１      携帯装置
９１      ネットワークインターフェイス部
１００    制御部
１０１    操作受付部
１０２    距離判断部
１０３    原稿放置判断部
１０４    接近者判定部
１０５    印刷物放置判断部
１６１    コンタクトガラス
【図１】
2020120353.tif 000003
【図２】
2020120353.tif 000004
【図３】
2020120353.tif 000005
【図４】
2020120353.tif 000006
【図５】
2020120353.tif 000007
【図６】
2020120353.tif 000008